(57)【特許請求の範囲】
【請求項１】
少なくとも２枚の柔軟性プラスチックフィルムを重ねて周縁がヒートシールされた内袋の前記柔軟性プラスチックフィルムへフェルール形状の注出口、及び充填用の注入口が取り付けてなるバックインボックスにおいて、前記注出口の内容物側のフランジにイージーピール性フィルムがヒートシールされ、前記フランジと前記イージーピール性フィルムとのヒートシール部の形状が、開封のきっかけとなる突起部を有することを特徴とするバックインボックスの注出口。
【請求項２】
上記フェルール形状の注出口が内容物側と反対側に輪状凸部を有し、該輪状凸部へ嵌合する形状のキャップ、又は該輪状凸部を覆う形状のオーバーキャップで構成してなる着脱可能な封鎖部材を設けてなることを特徴とする請求項１に記載のバックインボックスの注出口。
【発明の詳細な説明】
【技術分野】
【０００１】
本発明は、注出口を必要に応じて段ボール等で形成された外箱の外面に出して、内袋中の内容物を注出するバックインボックスの注出口に関し、さらに詳しくは、注出口の内部のイージーピール性フィルムを開封して、容易に注出することのできるバックインボックスの注出口に関するものである。
【０００２】
本明細書において、配合を示す「比」、「部」、「％」などは特に断わらない限り質量基準であり、「／」印は一体的に積層され、「／／」印は接着されず二重重ねになっていることを示す。
また、「ＢＩＢ」は「バックインボックス」、「ＰＥＴ」は「２軸延伸ポリエチレンテレフタレートフィルム」、「ＯＮ」は「２軸延伸ポリアミドフィルム」、「ＬＤＰＥ」は「低密度ポリエチレン」、「Ｌ−ＬＤＰＥ」は「直鎖状低密度ポリエチレン」、「ＥＶＡ」は「エチレン−酢酸ビニル共重合体」の略語、機能的表現、通称、又は業界用語である。
【背景技術】
【０００３】
（主なる用途）本発明のバックインボックスの注出口を有するＢＩＢの主なる用途としては、牛乳、クリーム、ジュース、酒、清涼飲料水等の液状食品、固形物入りの液状食品、又は液状の薬品などを保管、流通するための容器で、特に無菌充填物を簡易の注出できるものである。しかしながら、簡易な注出を必要とする用途であれば、特に限定されるものではない。
【０００４】
（背景技術）従来、ＢＩＢでは１つの注出口から充填と注出を行うので、充填した後に、注出口を運搬時の液漏れや、汚染を防止するために、キャップに熱収縮性フィルムによってシーリングを施しているが、充填後にシーリングするのは現実的に困難である。
これを解消するために、キャップの注出口を塞ぐ着脱可能な封鎖部材を設けたりするが、開封操作が煩雑である。
従って、バックインボックスの注出口は、汚染されず、特に無菌充填物では無菌状態を維持して、かつ簡易な開封操作で、容易に注出することのできる注出口が求められている。
【０００５】
（先行技術）従来、管状注出口の外周に輪状嵌合部を設けてなるスパウトと、該スパウトに嵌合できる径の筒状部を有したキャップとからなり、該キャップの上端には可撓性を有する凹状部がスパウトの先端を十分に圧着できる間隔を持たせて連接され、該凹状部の中央に開閉用つまみが設けられ、さらに筒状部の上端寄りに１つの長方形状の注出口が設けられた注出装置が知られている（例えば、特許文献１参照。）。しかしながら、親指と人指し指を使って開閉用つまみを注出口と反対方向へ押すことにより、開閉用つまみに接続している開閉用補助部が持ち上がり注出口付近の凹状部を同時に撓ませるため、スパウト先端と凹状部との密閉状態が解除されて内容液を注ぎ出すので、開封操作が煩雑であるという問題点がある。
また、本出願人も、管状注出口の外周に輪状凸部を設けたスパウトと、該スパウトに嵌合できる筒状部を有したキャップとからなり、キャップの注出口を塞ぐ着脱可能な封鎖部材を設け、キャップの筒状部の上端寄りに１つの注出口が設けられ、この注出口がキャップをスパウトに嵌合した時にスパウトの上端部により内側から閉じられるようになったバッグインボックスの注出装置が知られている（例えば、特許文献２参照。）。
しかしながら、注出口が複雑で、開封操作も煩雑であるという問題点がある。
【０００６】
【特許文献１】実開昭５２−４４１３６号公報
【特許文献２】特開２００２−５３１７２号公報
【発明の開示】
【発明が解決しようとする課題】
【０００７】
そこで、本発明はこのような問題点を解消するためになされたものである。その目的は、外部から汚染されず、特に無菌充填物では無菌状態を維持して、かつ簡易な開封操作で、容易に注出することのできるバックインボックスの注出口を提供することである。
【課題を解決するための手段】
【０００８】
上記の課題を解決するために、請求項１の発明に係わるバックインボックスの注出口は、少なくとも２枚の柔軟性プラスチックフィルムを重ねて周縁がヒートシールされた内袋の前記柔軟性プラスチックフィルムへフェルール形状の注出口、及び充填用の注入口が取り付けてなるバックインボックスにおいて、前記注出口の内容物側のフランジにイージーピール性フィルムがヒートシールされ、前記フランジと前記イージーピール性フィルムとのヒートシール部の形状が、開封のきっかけとなる突起部を有するように、したものである。
請求項２の発明に係わるバックインボックスの注出口は、上記フェルール形状の注出口が内容物側と反対側に輪状凸部を有し、該輪状凸部へ嵌合する形状のキャップ、又は該輪状凸部を覆う形状のオーバーキャップで構成してなる着脱可能な封鎖部材を設けてなるように、したものである。
【発明の効果】
【０００９】
請求項１の本発明によれば、簡易な開封操作で容易に注出することのできるバックインボックスの注出口が提供される。
請求項２の本発明によれば、請求項１の効果に加えて、簡易な開封操作でより容易に注出することのできるバックインボックスの注出口が提供される。
請求項３の本発明によれば、請求項１〜２の効果に加えて、注出時に外部から汚染されず、特に無菌充填物では無菌状態を維持して注出することのできるバックインボックスの注出口が提供される。
【発明を実施するための最良の形態】
【００１０】
以下、本発明の実施形態について、図面を参照しながら、詳細に説明する。
図１は、本発明の１実施例を示すバックインボックスの注出口の斜視図である。
図２は、バックインボックス内袋の平面図である。
図３は、バックインボックス内袋の断面図である。
図４は、注出口の内容物側のフランジとイージーピール性フィルムとのヒートシール形状を説明する平面図である。
図５は、注出口からの注出方法を説明する要部の断面図である。
【００１１】
（物の発明）バックインボックス（ＢＩＢと呼称する）は、通常図１に示すように、少なくとも１つの注出入口を有するＢＩＢ内袋と、該内袋を保持する外箱からなっている。本発明で用いるＢＩＢ内袋１１は、図２に示すように、少なくとも２枚の柔軟性プラスチックフィルム１１Ａ、及び１１Ｂを重ねて周縁がヒートシール部１３でヒートシールされ、柔軟性プラスチックフィルム１１Ａ、又は１１Ｂへフェルール形状の注出口１０１、及び充填用の注入口１０３が取り付けてある。本発明のバックインボックスの注出口１０１は、フェルール形状のスパウト３１で内容物側のフランジ３３にイージーピール性フィルム２１がヒートシールされている。該ヒートシール部４３Ａの形状が、好ましくは、開封のきっかけとなる突起部４５を有する。さらに、注出口１０１がフェルール形状のスパウト３１で、内容物側と反対側に輪状凸部を有し、該輪状凸部へ嵌合する形状のキャップ、又は該輪状凸部を覆う形状のオーバーキャップで構成してなる着脱可能な封鎖部材を設けることが好ましい。
【００１２】
（外箱）本発明のＢＩＢに用いる外箱は、特に限定されることはなく、例えば、Ａ式、Ｂ式、又はＡＢ式段ボールや、板紙、木箱などの公知のものでよい。
【００１３】
（柔軟性フィルム）柔軟性プラスチックフィルムは、柔軟性プラスチックフィルム１１Ａと柔軟性プラスチックフィルム１１Ｂとからなり、図２に示すように、該２枚の柔軟性プラスチックフィルム１１Ａ、及び１１Ｂを重ねて周縁をヒートシール部１３でヒートシールすればよい。柔軟性プラスチックフィルム１１Ａ、１１Ｂの材料としては、同じものでも異なるものでもよく、また、単層でも複数層から構成されていてもよい。さらに、複数枚を用いてもよく、例えば柔軟性プラスチックフィルム１１Ａ、１１Ｂとして各２枚の合計４枚を重ね合わせて４方をヒートシールしてヒートシール部１３を設ければ二重袋となる。また、各３枚の合計６枚を重ね合わせて４方をヒートシールしてヒートシール部１３を設ければ三重袋となる。さらに、柔軟性プラスチックフィルム１１Ａとして２枚、柔軟性プラスチックフィルム１１Ｂとして１枚などの異なった枚数でもよい。
【００１４】
柔軟性プラスチックフィルム１１Ａ、１１Ｂとしては、フレキシブル性があれば特に限定されるものではないが、例えば、単層では、ＬＤＰＥ、Ｌ−ＬＤＰＥ、ＥＶＡ、アイオノマー樹脂、エチレン−アクリル酸共重合体（ＥＡＡ）、エチレン−アクリル酸エチル共重合体（ＥＥＡ）、エチレン−メタクリル酸共重合体（ＥＭＡＡ）、エチレン−メタクリル酸メチル共重合体（ＥＭＭＡ）、エチレン−プロピレン共重合体（Ｅ−Ｐ）、ポリエチレン又はポリプロピレン等のポリオレフィン系樹脂をアクリル酸、メタクリル酸、マレイン酸、無水マレイン酸、フマール酸、イタコン酸等の不飽和カルボン酸で変性した酸変性ポリオレフィン樹脂、ポリ酢酸ビニル系樹脂などが適用できる。これらの樹脂を単独又は複数を組み合せて使用でき、必要に応じて、適宜添加剤を加えても良い。複数層では、ＯＮ／ＬＤＰＥ、ＯＮ／Ｌ−ＬＤＰＥ、ＯＮ／ＥＶＡ、ＯＮ／ＬＤＰＥ／Ａｌ／ＬＤＰＥなどが適用できる。柔軟性を阻害しない範囲でＡｌ箔や蒸着Ａｌ薄膜などを積層してもよく、内容物の保存性を高めることができるので、好ましい。
【００１５】
（注入口）柔軟性プラスチックフィルム１１Ａ及び１１Ｂを重ねて製袋したＢＩＢ内袋１１の、いずれかの柔軟性プラスチックフィルム１１Ａ又は１１Ｂへ、フェルール形状の注出口１０１、及び充填用の注入口１０３を設ける。充填用の注入口１０３は他の柔軟性プラスチックフィルムへ設けてもよい。注入口１０３としては、公知のものでよく、例えば、ＬＤＰＥの射出成形品などが例示できる。
【００１６】
（注出口）注出口１０１は、図３に示すように、フェルール形状のスパウト３１で、フランジ３３と輪状凸部３５とからなり、該輪状凸部３５の内容物と反対側には輪状凹部３７が設けられ、フランジ３３の内容物と反対側は柔軟性プラスチックフィルム１１Ａ又は１１Ｂとヒートシール部４３Ｂでヒートシールされ、かつ、フランジ３３の内容物側はイージーピール性フィルム２１とヒートシール部４３Ａでヒートシールされている。
【００１７】
（イージーピール性フィルム）イージーピール性フィルム２１は、注出口１０１のフランジ３１の内容物側とのヒートシール部４３Ａでヒートシールでき、かつ、開封時にはシ−ル層間の界面剥離性を利用する方法、シール層の材料の凝集破壊剥離性を利用する方法、シール層に極力薄い層を設ける方法、ハーフカットを設ける方法等で、容易に開封できるイージーピール機能を有するものであり、注出口１０１との組み合わせで適宜選択すればよい。
【００１８】
注出口１０１としてＬＤＰＥの射出成形品を用いた場合には、ＰＥＴ／イージーピール層、ＯＮ／イージーピール層、ＯＮ／ＬＤＰＥ／イージーピール層などで、イージーピール層としては、他のモノマーとの共重合体や、ポリマーへのグラフト重合や変性体、又は他の樹脂をブレンドしたブレンド系の樹脂などが適用できる。イージーピール層としては、具体例を挙げれば、例えば、注出口の材料としてポリエチレン、エチレン−酢酸ビニル共重合体等からなるポリエチレンを主成分とする場合には、イージーピール性フィルム２１としては、ポリプロピレン、ポリエチレンとポリプロピレンとのブレンドポリマーもしくはエチレン−プロピレンとの共重合体等からなるポリプロピレンを主成分とする材料が適用できる。
【００１９】
（滅菌）図３においては、ＢＩＢ内袋１１は、袋内に空気が入った状態になっているが、実際には製袋の際に、上下のフィルムは密着した状態になっているので、袋内には非常に僅かの空気しか入っていない状態である。無菌充填を行う場合には、ＢＩＢ内袋１１は、密封された状態で、エチレンオキサイドガス、γ線、電子線等で公知の方法により殺菌することで、袋内部は完全に滅菌された状態で注入口１０３から無菌充填すればよい。
【００２０】
（開封）開封は、図４に示すように、ＢＩＢの注出口１０１のフェルール部へ、ロッド状の開封治具１０５を挿入し、フランジ３１へヒートシールされているイージーピール性フィルム２１を押すことで、容易にピールし開封すことができる。
この際にフェルール形状の注出口１０１の内容物側のフランジ３３とイージーピール性フィルム２１とのヒートシール部４３Ａの形状は、図４に示すように、開封のきっかけとなる突起部を設けることが好ましい。該突起部を設けることで、弱いロッドの押す力でも剥離などのキッカケとなり、簡易な開封操作でより容易に注出することのできる。
【００２１】
（無菌）無菌充填された内容物の場合には、注出口１０１の輪状凹部３７へ、Ｏリングなどを介して注出ホースを接続し密閉し、無菌エアー、蒸気、又は殺菌剤などの公知の方法で滅菌した後に、開封操作を行うことで、注出時に外部から汚染されず、無菌状態を維持して注出することができる。
【００２２】
（封鎖部材）また、注入口１０３、及び／又は注出口１０１の内容物側と反対側の輪状凸部３３へ嵌合する形状のキャップ、又は該輪状凸部を覆う形状のオーバーキャップで構成してなる着脱可能な封鎖部材を設けることが、注入口１０３及び／又は注出口１０１の汚染防止の点でより好ましい。
【実施例】
【００２３】
以下、実施例及び比較例により、本発明を更に詳細に説明するが、これに限定されるものではない。
【００２４】
（実施例１）先ず、柔軟性プラスチックフィルム１１Ａ及び１１ＢとしてＯＮ２５μｍ／ＬＭＤ／ＬＤＰＥ４０μｍとＥＶＡ６０μｍを用いて、該２枚組をＥＶＡ面を相対させて、４６０ｍｍ×４９０ｍｍの大きさに、公知の方法により、シール幅１２ｍｍで四方シールして、ＯＮ２５μｍ／ＬＭＤ／ＬＤＰＥ４０μｍ／／ＥＶＡ６０μｍ／（内容物が入る部分）／ＥＶＡ６０μｍ／／ＬＤＰＥ４０μｍ／ＬＭＤ／ＯＮ２５μｍからなる二重袋ののＢＩＢ内袋（容積１０ｌ用）を作製した。製袋の際、各フィルムは密着させて、袋内には空気ができるだけ入らないようにした。なお、ＬＭＤとはドライラミネーション法によるラミネートである。
同時に、袋の一方側のフィルムには、図２に示すように、縦方向（４６０ｍｍ）の中央で、横方向（４９０ｍｍ）の右端から６０ｍｍの位置に直径４２ｍｍの穴を開けて、その部分に注入口１０３のフランジを、縦方向（４６０ｍｍ）の中央で、横方向（４９０ｍｍ）の左端から６０ｍｍの位置に直径４２ｍｍの穴を開けて、その部分に注出口１０１のフランジ３３をヒートシールした。
なお、注入口１０３はポリエチレンの射出成形により、内径３０ｍｍ、肉厚３ｍｍ、高さ３０ｍｍ、フランジの外径を６５ｍｍとし、厚さ３ｍｍのポリエチレン製の射出成形のキャップ付きとした。
注出口１０１はポリエチレンの射出成形により、内径３０ｍｍ、肉厚３ｍｍ、高さ３０ｍｍ、外径５０ｍｍの輪状凸部３３を設け、該輪状凸部３５に５ｍｍ幅で直径４０ｍｍの輪状凹部３７を設け、フランジの外径を６５ｍｍとして、該フランジの内容物側へ、予め、ＯＮ２５μｍ／ＬＭＤ／イージーピール層（ＬＤＰＥとＰＰとのブレンド）４０μｍからなるイージーピール性フィルム２１を図４に示すように、突起部４５を設けたヒートシール形状でヒートシールし、筒状部を有したキャップを嵌合した。
ＢＩＢ内袋１１は、公知の方法により袋の内面の吸収線量が１５ＫＧｙ（キログレイ）になるようにγ線を照射して、袋の内外面を殺菌した。該滅菌済みＢＩＢ内袋１１へ、公知の無菌充填機（図示せず）を用いて、常法で注入口１０３から業務用スープを無菌充填して密閉した。
該充填済みのＢＩＢ内袋の注出口１０１を、陽圧無菌エアーチャンバーで嵌合キャップをはずし殺菌剤を噴霧して滅菌し、開封装置の開封口へ密設して、開封口に設けたロッド状の開封治具１０５を、図４に示すように、ＢＩＢの注出口１０１のフェルール部へ挿入し、フランジ３３へヒートシールされているイージーピール性フィルム２１を押したところ容易にピールし、極めて簡単に開封することができた。
【００２５】
（実施例２）柔軟性プラスチックフィルム１１Ａ及び１１ＢとしてＯＮ２５μｍ／ＬＤＰＥ１５μｍ／Ａｌ箔７μｍ／ＬＤＰＥ４０μｍとＥＶＡ６０μｍを用いて、無菌充填ではなく、オレンジジュースをホット充填する以外は、実施例１と同様にして、ＢＩＢを得た。充填済みのＢＩＢ内袋の注出口１０１を、開封装置の開封口へ密設して、開封口に設けたロッド状の開封治具１０５を、図４に示すように、ＢＩＢの注出口１０１のフェルール部へ挿入し、フランジ３３へヒートシールされているイージーピール性フィルム２１を押したところ容易にピールし、極めて簡単に開封することができた。
【図面の簡単な説明】
【００２６】
【図１】本発明の１実施例を示すバックインボックスの注出口の斜視図である。
【図２】バックインボックス内袋の平面図である。
【図３】バックインボックス内袋の断面図である。
【図４】注出口の内容物側のフランジとイージーピール性フィルムとのヒートシール形状を説明する平面図である。
【図５】注出口からの注出方法を説明する要部の断面図である。
【符号の説明】
【００２７】
１０：ＢＩＢ
１１：ＢＩＢ内袋
１１Ａ、１１Ｂ：柔軟性プラスチックフィルム
１３、４３Ａ、４３Ｂ：ヒートシール部
１０１：注出口
１０３：注入口
２１：イージーピール性フィルム
３１：スパウト
３３：フランジ
４５：突起部
【図１】
0004811570.tif 000002
【図２】
0004811570.tif 000003
【図３】
0004811570.tif 000004
【図４】
0004811570.tif 000005
【図５】
0004811570.tif 000006